【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
コンピューターに、投資信託の資産における利子の所有権を表す取引可能な証券であって：
前記投資信託の資産が少なくとも１つの第１通貨で表される価値を有し；
前記投資信託の資産が前記第１通貨とは異なる第２通貨で称される価値を有し；そして、
前記投資信託の資産が前記少なくとも１つの第１通貨と前記第２通貨との相対的な価値を表す値を有する証券を表すデータを生成することを命令するプログラム。
【請求項２】
前記第１通貨が非米国通貨であり、前記第２通貨が米国ドルである、請求項１に記載のプログラム。
【請求項３】
前記少なくとも１つの第１通貨が複数の異なった通貨を含む、請求項１に記載のプログラム。
【請求項４】
前記少なくとも１つの第１通貨が通貨指標及び通貨バスケットのどちらかを含む、請求項１に記載のプログラム。
【請求項５】
コンピューターに、投資信託の資産における利子の所有権を表す取引可能な証券であって：
前記投資信託の資産が少なくとも１つの非米国通貨を表し；
前記投資信託の資産が米国ドルで称される価値を有し；そして、
前記投資信託の資産が前記非米国通貨と米国ドルとの相対的な価値を表す価値を有する証券を表すデータを生成することを命令するプログラム。
【請求項６】
コンピューターに、法定の信託によって発行される証券であって、少なくとも１つの第１通貨のポートフォリオの未配受益権を表す信託の株式であって、基礎となる前記少なくとも１つの第１通貨の価値の変化への応答で変動する、前記少なくとも１つの第１通貨とは異なる第２通貨で称させる市場価値を有する信託の株式を含む証券を表すデータを生成することを命令するプログラム。
【請求項７】
前記信託の株式が取引システムで取引されることが可能であり、前記信託を介して購入及び買い戻しすることができる、請求項６に記載のプログラム。
【請求項８】
前記第１通貨が非米国通貨であり、前記第２通貨が米国ドルである、請求項６に記載のプログラム。
【請求項９】
コンピューターに、法定の信託によって発行される証券であって、少なくとも１つの第１通貨のポートフォリオの未配受益権を表す信託の領収書であって、基礎となる前記少なくとも１つの第１通貨の価値の変化への応答で変動する、前記少なくとも１つの第１通貨とは異なる第２通貨で称させる市場価値を有する信託の領収書を含む証券を表すデータを生成することを命令するプログラム。
【請求項１０】
前記株式が取引システムで取引されることが可能であり、前記信託を介して購入及び買い戻しすることができる、請求項９に記載のプログラム。
【請求項１１】
前記第１通貨が非米国通貨であり、前記第２通貨が米国ドルである、請求項９に記載のプログラム。
【請求項１２】
コンピューターに、法定の信託によって発行される証券であって、少なくとも１つの非米国通貨のポートフォリオの未配受益権を表す信託の株式であって、基礎となる前記非米国通貨の価値の変化への応答で変動する、米国ドルで称させる市場価値を有する信託の株式を含み、取引システムで取引可能な証券を表すデータを生成することを命令するプログラム。
【請求項１３】
前記信託の株式が前記信託を介して購入及び買い戻しすることができる、請求項１２に記載のプログラム。
【請求項１４】
コンピューターに、法定の信託によって発行される証券であって、少なくとも１つの非米国通貨のポートフォリオの未配受益権を表す信託の領収書であって、基礎となる前記非米国通貨の価値の変化への応答で変動する、米国ドルで称させる市場価値を有する信託の領収書を含み、取引システムで取引可能な証券を表すデータを生成することを命令するプログラム。
【請求項１５】
前記信託の領収書が前記信託を介して購入及び買い戻しすることができる、請求項１２に記載のプログラム。
【請求項１６】
証券保管機関によって保持され、少なくとも１つの第１通貨から成る投資信託；及び、
前記投資信託における利子の所有権を表し、前記第１通貨とは異なる第２通貨で称される価値を有し、前記少なくとも１つの第１通貨と前記第２通貨の相対的な価値を表す取引可能な証券であって、投資額との交換で投資家に発行される証券を表すデータを生成することを命令するプログラム。
【請求項１７】
前記少なくとも１つの第１通貨がリターンの市場レートを与える利子を生ずる口座に投資される、請求項１６に記載のプログラム。
【請求項１８】
前記少なくとも１つの第１通貨が非米国通貨であり、前記第２通貨が米国ドルである、請求項１６に記載のプログラム。
【請求項１９】
前記第１通貨が複数の異なった通貨である、請求項１８に記載のプログラム。
【請求項２０】
証券保管機関によって保持され、少なくとも１つの非米国通貨から成り、リターンの市場レートで投資される投資信託；及び、
前記投資信託における利子の所有権を表し、米国ドルで称される価値を有し、前記少なくとも１つの非米国通貨と米国ドルの相対的な価値を表す取引可能な証券であって、投資額との交換で投資家に発行される証券を表すデータを生成することを命令するプログラム。
【請求項２１】
前記投資額が前記第２通貨である、請求項２０に記載のプログラム。
【請求項２２】
法定の信託であって、それの資産がリターンの市場レートで利子を生ずる少なくとも１つの第１通貨であって、投資家の利益のために証券保管機関によって保持される第１通貨から成る法定の信託；及び、
前記信託の資産の未配受益権を表す前記信託によって発行される証券であって、前記第１通貨とは異なる第２通貨で称される価値を有し、株式取引所及び同様の取引システムで取引可能な証券を表すデータを生成することを命令するプログラム。
【請求項２３】
前記証券が前記信託を介して購入及び買い戻しすることができる、請求項２２に記載のプログラム。
【請求項２４】
前記少なくとも１つの第１通貨が非米国通貨であり、前記第２通貨が米国ドルである、請求項２３に記載のプログラム。
【請求項２５】
前記第１通貨が複数の異なった通貨である、請求項２３に記載のプログラム。
【請求項２６】
法定の信託であって、それの資産がリターンを生ずる少なくとも１つの非米国通貨であって、投資家の利益のために証券保管機関によって保持される非米国通貨から成る法定の信託；及び、
前記信託の資産の未配受益権を表す前記信託によって発行される証券であって、米国ドルで称される価値を有し、株式取引所及び同様の取引システムで取引可能な証券を表すデータを生成することを命令するプログラム。
【請求項２７】
前記証券が前記信託を介して購入及び買い戻しすることができる、請求項２６に記載のプログラム。
【請求項２８】
コンピューターに、投資家から少なくとも１つの第１通貨で投資額を受理すること；
証券保管機関とともに投資信託を確立すること；
前記少なくとも１つの第１通貨を、リターンを生ずる前記少なくとも１つの第１通貨で称される資産に投資すること；及び、
前記投資家に、前記投資信託における利子の所有権を表し、前記第１通貨とは異なる第２通貨で称される価値を有し、前記少なくとも１つの第１通貨と前記第２通貨の相対的な価値を表す取引可能な証券を発行することを含む投資方法を実行することを命令するプログラム。
【請求項２９】
前記資産が要求払預金及び金融市場口座のいずれかを含む、請求項２８に記載のプログラム。
【請求項３０】
前記第１通貨が米国ドルであり、前記第２通貨が少なくとも１つの非米国通貨である、請求項２８に記載のプログラム。
【請求項３１】
前記少なくとも１つの非米国通貨が複数の異なった通貨を含む、請求項３０に記載のプログラム。
【請求項３２】
前記少なくとも１つの非米国通貨が通貨指標を含む、請求項３０に記載のプログラム。
【請求項３３】
オプション取引システムを介して取引可能な証券のオプションを購入及び（または）売却する能力を容易にすることをさらに含む、請求項２８に記載のプログラム。
【請求項３４】
コンピューターに、投資家から少なくとも１つの第１通貨で投資額を受理すること；
金融の投資信託を確立すること；
前記投資家に、前記投資信託における利子の所有権を表し、前記少なくとも１つの第１通貨とは異なる第２通貨で称される価値を有し、前記少なくとも１つの第１通貨と前記第２通貨の相対的な価値を表す取引可能な証券を発行することを含む投資方法を実行することを命令するプログラム。
【請求項３５】
オプション取引システムを介して取引可能な証券のオプションを購入及び（または）売却する能力を容易にすることをさらに含む、請求項３４に記載のプログラム。
【請求項３６】
リターンを生成するために前記少なくとも１つの第１通貨を投資することをさらに含む、請求項３４に記載のプログラム。
【請求項３７】
コンピューターに、金融の投資信託及び信託のいずれかを含む金融構造であって、それの資産が投資家の利益のために証券保管機関によって保持される金融構造を確立すること；
前記証券保管機関が少なくとも１つの指定パラメーターに従って前記金融構造の前記資産を投資することを指示することに対する前記証券保管機関との合意に達することであって、利子を生ずる複数の銀行組織の口座及び金融市場口座のいずれかを含む口座に投資すること、及び投資家による少なくとも１つの通貨による前記信託の受託者への預金との交換で株式及び領収書のいずれかを含む前記金融構造の所有権利益の代表物を前記投資家に発行することのいずれかを含むこと；
前記金融構造における所有権利益の代表物を買い戻すこと；及び、
買い戻される前記金融構造の所有権利益の代表物との交換で通貨を引き渡すことであって、前記金融構造の所有権利益の代表物が取引システムで取引可能であることを含む投資方法を実行することを命令するプログラム。